(57)【要約】【課題】スポットライトにおいて、反射光の向きを設置面に平行な面よりも設置面側に向けることができ、十分な照射範囲を確保することができる。【解決手段】スポットライト１は、光源２と、光源２を点灯させる安定器と、安定器を収納し設置面に取り付けられる筐体４と、設置面に垂直な垂直軸部５３を中心として回転可能に筐体４に設けられ光源２を支持するアーム５と、設置面に平行な水平軸部５４を中心として所定の範囲内で回転可能にアーム５に取り付けられた反射鏡６とを備える。垂直軸部５３は筐体４の略中央部近傍に設けられており、水平軸部５４から筐体４までの高さ、及び垂直軸部５３からの筐体４の設置面に平行な面における最大寸法を、反射鏡６を所定の範囲内で最大限設置面に向けて回転させた状態で、反射鏡６による反射光を遮らないように設定する。これにより、反射鏡６を設置面に大きく向けることができ、十分な照射範囲を確保することができる。【選択図】図１
2008293906.tif 000002
【特許請求の範囲】
【請求項１】
光源と、前記光源を点灯させる安定器と、前記安定器を収納し、設置面に取り付けられる筐体と、前記筐体に対して前記設置面に垂直な第１回転軸を中心として回転可能に設けられ前記光源を支持するアームと、前記設置面に平行な第２回転軸を中心として所定の範囲内で回転可能に前記アームに取り付けられた反射鏡とを備えたスポットライトにおいて、
前記第１回転軸は前記筐体の略中央部近傍に設けられており、
前記第２回転軸から前記筐体までの高さ、及び前記第１回転軸からの前記筐体の前記設置面に平行な面における最大寸法が、前記反射鏡を前記所定の範囲内で最大限前記設置面に向けて回転させた状態で、前記反射鏡による反射光を遮らないように設定されていることを特徴とするスポットライト。
【発明の詳細な説明】
【技術分野】
【０００１】
本発明は、天井面等に設置されるスポットライトに関する。
【背景技術】
【０００２】
従来から、商品演出や建築空間の空間演出に使用され、天井面や壁面等に設置されるスポットライトが知られている。従来のスポットライトについて図７を参照して説明する。スポットライト１０１は、光源１０２と、光源１０２を点灯させる安定器１０３と、安定器１０３を収納し、天井面Ｃに取り付けられる筐体１０４と、筐体１０４の端部に水平方向に回動自在に設けられたアーム１０５と、アーム１０５の下端の水平軸１５４に取り付けられ上下方向に回動自在なセード１０７（回動体）とを備えている。セード１０７には光源１０２と反射鏡１０６が取り付けられており、反射光Ｌ１の向きを水平方向及び上下方向に自在に変化させることができる。
【０００３】
また、照射面に対して斜め方向から光を照射しても、きれいな真っ直ぐな配光を得ることができるスポットライトが知られている（例えば、特許文献１参照）。
【０００４】
しかしながら、これらの従来のスポットライトにおいては、反射鏡が筐体の端部から吊り下げられており、反射鏡から筐体の反対側の端部までの距離が長いために、反射鏡を筐体の長手方向に向け、水平より天井側に向けたときに、反射光が筐体を照射し、筐体内の安定器の雰囲気温度が上昇し、点灯が不安定になる。図７の例では、反射光Ｌ１の上端側の光線ラインＡが水平方向Ｂよりも１５°天井側に向いており、反射光Ｌ１が筐体１０４に遮られている。このために、反射光の向きを水平よりも余り天井側に向けることができず、十分な照射範囲を確保することができない。
【特許文献１】特開２００２−１１７７０１号公報
【発明の開示】
【発明が解決しようとする課題】
【０００５】
本発明は、上記従来の問題を解決するためになされたものであり、反射光の向きを設置面に平行な面よりも設置面側に向けることができ、十分な照射範囲を確保することができるスポットライトを提供することを目的とする。
【課題を解決するための手段】
【０００６】
上記目的を達成するために請求項１の発明は、光源と、前記光源を点灯させる安定器と、前記安定器を収納し、設置面に取り付けられる筐体と、前記筐体に対して前記設置面に垂直な第１回転軸を中心として回転可能に設けられ前記光源を支持するアームと、前記設置面に平行な第２回転軸を中心として所定の範囲内で回転可能に前記アームに取り付けられた反射鏡とを備えたスポットライトにおいて、前記第１回転軸は前記筐体の略中央部近傍に設けられており、前記第２回転軸から前記筐体までの高さ、及び前記第１回転軸からの前記筐体の前記設置面に平行な面における最大寸法が、前記反射鏡を前記所定の範囲内で最大限前記設置面に向けて回転させた状態で、前記反射鏡による反射光を遮らないように設定されているものである。
【発明の効果】
【０００７】
請求項１の発明によれば、第１回転軸が筐体の略中央部に設けられているので、第１回転軸からの筐体の設置面に平行な面における最大寸法が短い。また、第１回転軸の延長線上に反射鏡があるので、反射光が筐体に遮られることなく、反射鏡を設置面に大きく向けることができ、十分な照射範囲を確保することができる。
【発明を実施するための最良の形態】
【０００８】
本発明の一実施形態に係るスポットライトについて図面を参照して説明する。図１乃至図３（ａ）（ｂ）は、本実施形態に係るスポットライトの構成を示す。このスポットライト１は、例えば天井面等に設置されて吊り下げ固定され、商業空間の商品演出や建築空間の空間演出等のため照明光を対象物に照射する照明装置である。スポットライト１は、光源２と、光源を点灯させる安定器３と、安定器３を収納し、設置面に取り付けられる筐体４と、筐体４に設けられ光源２を支持するアーム５と、アームに取り付けられた反射鏡６とを備えている。
【０００９】
光源２は、反射鏡６の開口面と略平行に配置されている。反射鏡６はセード７に固定され、セード７は、アーム５の下端部に、光源２の長手方向の中心軸を中心に回動自在に支持されている。光源２は、例えば、セラミックメタルハライドランプにより構成される。このセラミックメタルハライドランプは背高で、外形が略円柱状であり、その口金は、例えばスクリュータイプであり、アーム５の下端部に収納されたソケット８に取り付けられる。この光源２は、その長手方向が水平方向と略平行になるように配設されている。光源２の構成及び形状は上記に限定されない。
【００１０】
反射鏡６は、略円錐台状又は略椀状であり、その径は光源２のバルブ部分の長さより大きい。この反射鏡６には、前面と背面とに開口６１、６２が設けられている。この前面の開口６１は光出射用の開口であり、背面の開口６２より径が大きい。背面の開口６２は放熱用の開口である。
【００１１】
アーム５は、中空筒状体であり、水平部５１と、水平部５１の一端からこの水平部５１と略９０度の角度を持って下方に延びる垂直部５２とにより構成されている。水平部５１の他端には、上方に延びる略円筒状の垂直軸部５３が設けられている。この垂直軸部５３は筐体本体４１の底部に設けられた孔（不図示）に挿し込まれる。筐体本体４１内部に挿し込まれた垂直軸部５３の先端部には、回動範囲を規制するための回動止め金具５５が嵌着される。さらに、垂直軸部５３の最先端部には、ナット５６が取り付けられる。
【００１２】
垂直部５２の下端には、ソケット８を取り付けるための水平軸部５４が形成されている。この水平軸部５４は、略円筒状の形状を有し、垂直軸部５３側で水平部５１と略平行な方向に突出している。水平軸部５４の中心軸は、光源２の長手方向の中心軸と略一致している。水平軸部５４の先端部では、外周の一部が切欠されており、段差部５４ａが形成されている。水平軸部５４は、ソケット８を収容する。ソケット８から導出される不図示のリード線（配線）は、このアーム５の内側に収容され、筐体４内の安定器３に導かれる。
【００１３】
セード７は、前面が開口した桶状で且つ正面視略円形状のセード本体７１と、このセード本体７１の前面開口に対応した大きさを有する略環状の前面枠７２とにより構成される。セード本体７１の大きさは、反射鏡６の大きさに対応しており、セード本体７１の径は、光源２のバルブ部分の長さより大きい。セード本体７１の背面には、放熱用の開口７１ａが設けられており、この開口７１ａの位置は、反射鏡６の放熱用の開口６２と対応している。前面枠７２は、セード本体７１の前面開口への嵌め込み及び回転によりセード本体７１への取り付けが可能に構成されている。反射鏡６は、セード本体７１の前面開口から嵌め込まれ、固定用バネ９によりセード本体７１内部に押し当てられて固定される。このようにしてセード本体７１は反射鏡６を内包する。セード本体７１の前面開口には、反射鏡６がセード本体７１に内包された状態で、前面枠７２が取り付けられる。
【００１４】
セード本体７１の側部には、略円筒状の軸受部７１ｂが貫通して形成されている。この軸受部７１ｂには、アーム５の水平軸部５４が嵌挿される。セード７は、水平軸部５４が軸受部７１ｂに嵌挿された状態で、水平軸部５４を軸とした回動が可能となる。従って、ソケット８に光源２が装着された状態で、水平軸部５４が軸受部７１ｂに嵌挿されたとき、光源２を動かすことなく、セード７を回動させるだけで光照射方向を上下方向に変更することが可能となる。
【００１５】
軸受部７１ｂの内側には、セード７の回動範囲を規制するための突起状の回動ストッパ７１ｃが形成されている。この回動ストッパ７１ｃが、水平軸部５４の回動時にその段差部５４ａと当接することにより、セード７の回動範囲が規制される。また、軸受部７１ｂには、水平軸部５４の外周形状に対応して成形された円弧状の板ばね部材７３が配設されている。この板ばね部材７３は、セード本体７１の前面開口側に設けられており、軸受部７１ｂに挿入された水平軸部５４をセード本体７１の背面側に押圧する。このため、水平軸部５４の抜け落ち防止及び軸力の確保を図ることができる。
【００１６】
筐体４は、上面が開口した筐体本体４１と、その開口を塞ぐカバー４２とにより構成される。筐体本体４１は、安定器３と、配線ダクト（不図示）に接続され、安定器３に給電するプラグ１０とを収容する。プラグ１０は、配線ダクトとの接続を可能にするため、一部が露出するように設けられ、カバー４２に固定されている。アーム５により導かれたソケット８のリード線は、筐体本体４１内で安定器３と接続される。
【００１７】
上述したように、アーム５は垂直軸部５３によって水平回動自在に筐体４に支持されているので、光照射方向を水平方向で変更させることができる。また、セード７を、アーム５の水平軸部５４を軸として垂直方向に回動させることにより、セード７に固定された反射鏡６の開口６１の向きが変わり、光照射方向を上下に変更することができる。
【００１８】
次に、上記のように構成されたスポットライトの上方への照射角度について図を参照して説明する。図４及び図５は、反射鏡６が筐体４の二つの長手方向を向き、天井面Ｃを照射している状態を示す。本実施形態では、筐体４を天井面Ｃに対し垂直に設置することにより、垂直軸部５３が筐体４の略中央部近傍に取り付けられるようにしている。反射光Ｌの上端側の光線ラインＡが水平方向Ｂよりも所定の角度θ上向きを照射しても、筐体４によって遮られないように、水平軸部５４の中心から筐体４までの高さＨと、垂直軸部５３からの筐体４の設置面に平行な面における最大寸法Ｋとを設定している。このことにより、反射鏡６が水平方向のどの方向を向いても反射光Ｌが筐体４に遮られない。セード７は、光線ラインＡが水平方向Ｂから所定の角度θよりも上方向を照らさないように、段差部５４ａと回動ストッパー７１ｃによって回動を制限されている。図６は、反射鏡６が筐体４の短手方向を向き、天井面Ｃを照射している状態を示す。光線ラインＡが水平方向Ｂから所定の角度θ上向きを照射しても、筐体４によって遮られない。
【００１９】
垂直軸部５３が筐体４の略中央部に設けられているので、垂直軸部５３からの筐体４の天上面Ｃに平行な面における最大寸法が短い。また、垂直軸部５３の延長線上に反射鏡６があるので、反射光Ｌが筐体４に遮られることなく、反射鏡６を天井面Ｃに大きく向けることができ、安定器３が反射光Ｌによって熱せられて光が不安定になることなく十分な照射範囲を確保することができる。
【００２０】
なお、本発明は、上記の実施形態の構成に限定されるものでなく、使用目的に応じ、様々な変形が可能である。例えば、スポットライト１は、天井面に限定されず、壁面又は床面等に設置可能に構成されていてもよい。
【図面の簡単な説明】
【００２１】
【図１】本発明の一実施形態に係るスポットライトの斜視図。
【図２】同スポットライトの分解斜視図。
【図３】（ａ）は同スポットライトにおいてセードをアームから取り外した状態の斜視図、（ｂ）は同スポットライトにおけるアーム部分の斜視図。
【図４】同スポットライトが筐体の一方の長手方向上方を照射している状態の横視図。
【図５】同スポットライトが筐体の他方の長手方向上方を照射している状態の横視図。
【図６】同スポットライトが筐体の短手方向上方を照射している状態の横視図。
【図７】従来のスポットライトが筐体の長手方向上方を照射している状態の横視図。
【符号の説明】
【００２２】
１  スポットライト
２  光源
３  安定器
４  筐体
５  アーム
５３  垂直軸部（第１回転軸）
５４  水平軸部（第２回転軸）
６  反射鏡
Ｃ  天井面（設置面）
Ｌ  反射光
【図１】
2008293906.tif 000003
【図２】
2008293906.tif 000004
【図３】
2008293906.tif 000005
【図４】
2008293906.tif 000006
【図５】
2008293906.tif 000007
【図６】
2008293906.tif 000008
【図７】
2008293906.tif 000009